(57)【要約】【課題】高い美容効果を得るボディ用美容ローラを提案する。【解決手段】間に挟まれた両側の一対の押付力安定化ローラ部材１２Ｌ、１２Ｒより下方に突出するように刺激付与ローラ部材１１を設けるようにしたことにより、肌に対して当該突出量Ｄ１２に対応する適度な刺激を与えることができると共に、刺激付与ローラ部材１１によって刺激を付与する前及び後に、押付力安定化ローラ部材１２Ｌ、１２Ｒによって肌に対する刺激を柔らげる滑らかなトリートメント処理をすることができ、その結果一段と美容効果の高いボディ用美容ローラを得ることができる。【選択図】図４
0003148412.tif 000002
【実用新案登録請求の範囲】
【請求項１】
ユーザの操作によって転動動作する刺激付与ローラ部材と、上記刺激付与ローラ部材を間に挟みかつ円筒状表面を有する一対の押付力安定化ローラ部材とを具え、
上記刺激付与ローラ部材は、所定幅をもつ４つの接触面を円筒状仮想表面上の角等間隔位置に形成すると共に、当該４つの接触面がそれぞれ最下レベル位置にある状態に転動したとき、上記一対の押付力安定化ローラ部材の上記円筒状表面より下方に突出する、上記押付力安定化ローラ部材の上記円筒状表面の直径より大きい直径の上記円筒状仮想表面を有する
ことを特徴とするボディ用美容ローラ。
【請求項２】
上記４つの接触面の間に、それぞれ、４つの窪みを形成し、上記４つの接触面と間に介在する上記窪みとの境界部分が丸味をもつ
ことを特徴とする請求項１に記載のボディ用美容ローラ。
【請求項３】
上記刺激付与ローラ部材及び上記一対の押付力安定化ローラ部材は基盤筐体に回動自在に取り付けられ、
ユーザが上記刺激付与ローラ部材及び上記一対の押付力安定化ローラ部材をトリートメント対象の肌に押し付けながらトリートメント操作をしたとき、上記４つの接触面のそれぞれについて順次、１つの上記接触面の全面を上記肌に接触させた状態から接触面積を上記境界部分に集束させた後、上記１の接触面の上記境界部分と隣りの上記接触面の上記境界部分とを上記肌に接触させた状態から上記１の接触面の上記境界部分を上記肌から離した後、上記肌への接触面積を上記隣りの接触面の上記境界部分から当該隣りの接触面の全面に拡大させて行くことにより、上記刺激付与ローラ部材から上記肌に付与する刺激を変化させる
ことを特徴とする請求項２に記載のボディ用美容ローラ。
【請求項４】
上記刺激付与ローラ部材の上記円筒状仮想表面の直径を３５〔ｍｍ〕とし、上記一対の押付力安定化ローラ部材の直径を３０〔ｍｍ〕とし、上記一対の押付力安定化ローラ部材の最下レベル位置から上記円筒状仮想表面の最下レベル位置までの上記刺激付与ローラ部材の突出量を５．５〔ｍｍ〕とした
ことを特徴とする請求項１に記載のボディ用美容ローラ。
【考案の詳細な説明】
【技術分野】
【０００１】
本考案はボディ用美容ローラに関し、特に手動トリートメント操作をすることにより体のラインを整えるものである。
【背景技術】
【０００２】
手動でトリートメント操作をすることにより体のラインを整えるボディ用美容ローラとして、従来、手に把持する基台部に円筒状ローラを設け、当該円筒状ローラを肌に転接させるものが提案されている（特許文献１、２及び３参照）。
【特許文献１】特開平１０−３１４２５３号公報
【特許文献２】特開平６−１９００１４号公報
【特許文献３】特開２００３−１４４５２２公報
【考案の開示】
【考案が解決しようとする課題】
【０００３】
従来のこの種のボディ用美容ローラは、円筒状ローラの外表面に突起物を設け、当該突起物をローラの転動に従って順次肌に押し付けて行くことにより、刺激を与えるような基本構造をもっている。
【０００４】
ところが、従来のボディ用美容ローラにおいては、突起物の肌への押付力は、ボディ用美容ローラを把持しているユーザの操作の仕方に依存するような構造になっている。
【０００５】
例えば、円筒ローラの外表面に設けられている突起物は、ユーザが把持している基台部を肌に押し付ける際に与える押付力をそのまま肌への押付力とすることにより、ボディ用美容ローラによる肌への刺激を、ユーザによる肌への押付力を加減することにより必要に応じて調整する必要がある。
【０００６】
このように肌への押付力がユーザによるボディ用美容ローラによる押付操作によってその都度変化するようになされているので、ボディ用美容ローラの肌への押付力が過大になれば、突起物の肌への刺激が強過ぎて、繰り返し使用すれば痣が残るような場合もあり得る。
【０００７】
これに対してボディ用美容ローラの肌に対する押付力が弱ければ、突起物による刺激が弱過ぎてボディ用美容ローラとして意図している美容効果が十分に得られないような場合もあり得る。
【０００８】
本考案は以上の点を考慮してなされたもので、肌に対する刺激が不用意に過大にならないようにしたボディ用美容ローラを提案しようとするものである。
【課題を解決するための手段】
【０００９】
かかる課題を解決するため本考案においては、ユーザの操作によって転動動作する刺激付与ローラ部材１１と、刺激付与ローラ部材１１を間に挟みかつ円筒状表面を有する一対の押付力安定化ローラ部材１２Ｌ、１２Ｒとを具え、刺激付与ローラ部材１１は、所定幅をもつ４つの接触面２２Ａ〜２２Ｄを円筒状仮想表面２１上の角等間隔位置に形成すると共に、当該４つの接触面２２Ａ〜２２Ｄがそれぞれ最下レベル位置にある状態に転動したとき、一対の押付力安定化ローラ部材１２Ｌ、１２Ｒの円筒状表面２１より下方に突出する、押付力安定化ローラ部材１２Ｌ、１２Ｒの円筒状仮想表面２１の直径より大きい直径の円筒状仮想表面２１を有するように構成する。
【考案の効果】
【００１０】
本考案によれば、間に挟まれた両側の一対の押付力安定化ローラ部材より下方に突出するように刺激付与ローラ部材を設けるようにしたことにより、肌に対して当該突出量に対応する適度な刺激を与えることができると共に、刺激付与ローラ部材によって刺激を付与する前及び後に、押付力安定化ローラ部材によって肌に対する刺激を柔らげる滑らかなトリートメント処理をすることができ、その結果一段と美容効果の高いボディ用美容ローラを得ることができる。
【考案を実施するための最良の形態】
【００１１】
以下図面について、本考案の一実施の形態を詳述する。
【００１２】
（１）実施の形態
図１において、１は全体としてボディ用美容ローラを示し、合成樹脂材料によって構成された基盤筐体２の上面に把持部３が設けられている。
【００１３】
把持部３は断面が四角筒状で、全体として「ヘ」字状形状を有し、その一端部３Ａが基盤筐体２の上面部材２Ａの前部に固着されていると共に、その遊端部３Ｂが一端部３Ａから基盤筐体２の上面部材２Ａとほぼ平行に後方に延長し、これにより遊端部３Ｂによってユーザが把持してボディ用美容ローラ１を全体として操作するための把持操作部３Ｃを形成している。
【００１４】
基盤筐体２は把持操作部３Ｃを固着してなる板状の上面部材２Ａと、当該上面部材２Ａの前及び後端線から下方に互いに対向するように延長する前面部材２Ｂ及び後面部材２Ｃとを有し、これにより前後方向に沿ってとった縦断面形状がコ字状になるように構成されている。
【００１５】
相対向する前面部材２Ｂ及び後面部材２Ｃ間における、左右方向のほぼ中央位置には、中空状の刺激付与ローラ部材１１が装架されると共に、当該刺激付与ローラ部材１１の左側及び右側位置に、中空状の一対の左押付力安定化ローラ部材１２Ｌ及び右押付力安定化ローラ部材１２Ｒが装架されている。
【００１６】
この実施の形態の場合、図３に示すように、刺激付与ローラ部材１１の前及び後端面は端板１１Ａ及び１１Ｂによって閉塞されており、端板１１Ａ及び１１Ｂの回転中心軸位置に設けられた軸受１２Ａ及び１２Ｂが全面部材２Ｂ及び後面部材２Ｃに内方に突設されている支軸１３Ａ及び１３Ｂに回動自在に軸支されている。
【００１７】
また左及び右押付力安定化ローラ部材１２Ｌ並びに１２Ｒの前及び後端は、それぞれ端板１４ＬＡ及び１４ＲＡ並びに１４ＬＢ及び１４ＲＢによって閉塞されており、端板１４ＬＡ及び１４ＲＡ並びに１４ＬＢ及び１４ＲＢの回転中心軸に設けられた軸受１５ＬＡ及び１５ＲＡ並びに１５ＬＢ及び１５ＲＢが前及び後面部材２Ｂ及び２Ｃに内方に突設されている支軸１６ＬＡ及び１６ＲＡ並びに１６ＬＢ及び１６ＲＢに回動自在に軸支されている。
【００１８】
刺激付与ローラ部材１１は、図２及び図３に示すように、円筒状仮想表面２１を有し、当該円筒状仮想表面２１において、ほぼ９０〔°〕の角間隔をもつ位置に、所定幅を有する４つの接触面２２Ａ〜２２Ｄが形成されている。
【００１９】
かくして４つの接触面２２Ａ〜２２Ｄは、刺激付与ローラ部材１１の円筒状仮想表面２１状において前後方向の長さ全体に亘って断面円弧状の帯状の当接面を形成し、これにより刺激付与ローラ部材１１は肌に接触しながら転動操作されたとき、基盤筐体２の直下の位置において４つの接触面２２Ａ〜２２Ｄが刺激付与ローラ部材１１の回動に応じて順次肌に当接して行くようになされている。
【００２０】
円筒状仮想表面２１上において、接触面２２Ａ〜２２Ｄ間の角範囲には、窪み２３Ａ〜２３Ｄが形成されており、これにより刺激付与ローラ部材１１がその接触面２２Ａ〜２２Ｄを肌に当接させながら回動動作をしたとき、窪み２３Ａ〜２３Ｄが直下の位置を通過する際に、接触面２２Ａ〜２２Ｄの肌への接触位置及び接触面積が変化することにより、肌に対して、刺激付与ローラ部材１１の転動に応じて変化するような刺激を付与するようになされている。
【００２１】
因に、図２に示すように、接触面２２Ａが最下レベル位置にあるとき、接触面２２Ａが肌に接触することにより基盤筐体２に加えられる押付力は接触面２２Ａ全体に分散して肌に付与される。
【００２２】
この状態から、刺激付与ローラ部材１１が図２において反時計方向に転動すると、接触面２２Ａが右側に傾いて行くことにより右側部分が肌から離れて行くに従って接触する面積が小さくなって行くと共に、隣りの窪み２３Ａが肌に対向し始め、やがて接触面２２Ａが肌から離れて隣の接触面２２Ｂが肌に接触する状態になる。
【００２３】
このような肌への接触面２２Ａから接触面２２Ｂへの移行の仕方は、接触面２２Ｂ→２２Ｃ→２２Ｄ→２２Ａの順で繰り返される。
【００２４】
この実施の形態の場合、接触面２２Ａと窪み２３Ａ及び２３Ｄとの間（接触面２２Ｂと窪み２３Ａ及び２３Ｂとの間、接触面２２Ｃと窪み２３Ｂ及び２３Ｃとの間、接触面２２Ｄと窪み２３Ｃ及び２３Ｄとの間）に、丸味を付けた境界部分２４及び２５が形成されており、これにより接触面２２Ａ（２２Ｂ〜２２Ｄ）が肌に当接している状態から窪み２３Ａ（２３Ｂ〜２３Ｃ）又は２３Ｄ（２３Ｃ〜２３Ａ）に対向する状態に移るとき、若しくは窪み２３Ａ（２３Ｂ〜２３Ｄ）が肌に対向している状態から接触面２２Ｂ（２２Ｃ〜２２Ａ）又は２２Ａ（２２Ｄ〜２２Ｂ）が肌に当接する状態に移るとき、当該境界部分が２４及び２５の丸味形状によって肌に対して極端に強い刺激を与えないようになされている。
【００２５】
これに対して、左及び右押付力安定化ローラ部材１２Ｌ及び１２Ｒは、その外表面が滑らかな円筒形状を有する。
【００２６】
刺激付与ローラ部材１１は、左及び右押付力安定化ローラ部材１２Ｌ及び１２Ｒに対して、図４に示すような配置関係に配置されている。
【００２７】
図４において、基盤筐体２を正面から見て、中心線Ｌ０上に刺激付与ローラ部材１１が配設されると共に、中心線Ｌ０から左方及び右方に中心線Ｌ０と平行に距離Ｄ１だけ離れた仮想線Ｌ１及びＬ２上に左及び右押付力安定化ローラ部材１２Ｌ及び１２Ｒが配設されている。
【００２８】
刺激付与ローラ部材１１の中心点Ｐ０を通って左右方向に延長する高さレベル線Ｌ１０に対して上方に距離Ｄ１１だけ離れた位置の高さレベル線Ｌ１１が上下方向の仮想線Ｌ１及びＬ２と交差する中心点Ｐ１及びＰ２には左及び右押付力安定化ローラ部材１２Ｌ及び１２Ｒが設けられ、これにより刺激付与ローラ部材１１の接触面２２Ａ〜２２Ｄが設けられている円筒状仮想表面２１の最下点を通る高さレベル線Ｌ１２が、左及び右押付力安定化ローラ部材１２Ｌ及び１２Ｒの外表面の最下点を通る高さレベル線Ｌ１３より下方に位置するような配置関係になるように、左及び右押付力安定化ローラ部材１２Ｌ及び１２Ｒが配設されている。
【００２９】
ここで刺激付与ローラ部材１１の円筒状仮想表面２１の直径Ｒ０は、左及び右押付力安定化ローラ部材１２Ｌ及び１２Ｒの直径Ｒ１２より大きい値に選定されており、これにより左及び右押付力安定化ローラ部材１２Ｌ及び１２Ｒの最下点の高さレベル線Ｌ１３から刺激付与ローラ部材１１の円筒状仮想表面２１の最下点の高さレベル線Ｌ１２との間の突出量Ｄ１２の値は、次式
【００３０】
【数１】
0003148412.tif 000003
【００３１】
のように、刺激付与ローラ部材１１の半径Ｒ０／２と刺激付与ローラ部材１１の中心点Ｐ０並びに左及び右押付力安定化ローラ部材１２Ｌ及び１２Ｒの中心点Ｐ１及びＰ２間の高さレベル差Ｄ１１との和の値から左及び右押付力安定化ローラ部材１２Ｌ及び１２Ｒの半径Ｒ１２／２を引いた値になる。
【００３２】
（１）式を変形すれば、刺激付与ローラ部材１１の下方への突出量Ｄ１２は、次式
【００３３】
【数２】
0003148412.tif 000004
【００３４】
のように、刺激付与ローラ部材１１の円筒状仮想表面２１の半径から左及び右押付力安定化ローラ部材１２Ｌ及び１２Ｒの半径を引いた値に、中心点Ｐ０から中心点Ｐ１及びＰ２までの高さレベル差Ｄ１１を加えた値になる。
【００３５】
以上の構成において、ユーザがボディ用美容ローラ１を用いて肌のトリートメント操作をする場合、ユーザは、基盤筐体２の上面部材２Ａ上に突出する把持部３の把持操作部３Ｃを手で握って、刺激付与ローラ部材１１並びに左及び右押付力安定化ローラ部材１２Ｌ及び１２Ｒの下面をトリートメント処理をしようとする肌に押し付け、この押付状態において基盤筐体２を肌面に沿って移動させる。
【００３６】
このとき図５（Ａ）〜（Ｄ）に示すように、円筒状外表面を有する左及び右押付力安定化ローラ部材１２Ｌ及び１２Ｒが肌の表面に当接した状態で、左及び右押付力安定化ローラ部材１２Ｌ及び１２Ｒ間に配設されている刺激付与ローラ部材１１が肌３１をさらに下方に押し付けることにより、肌に刺激を与える。
【００３７】
このときの刺激付与ローラ部材１１の肌への刺激は、刺激付与ローラ部材１１がユーザの左右方向への操作に応じて、下方に突出する４つの接触面２２Ａ〜２２Ｄが肌への接触の仕方を変更することにより変化する。
【００３８】
刺激付与ローラ部材１１の接触面２２Ａ〜２２Ｄのうちの１つ、すなわち接触面２２Ａが、図５（Ａ）に示すように、最下レベル位置にある状態において、基盤筐体２に与えられた押付力は、肌３１に対して接触面２２Ａの全面が接触していることにより、接触面２２Ａの全面に分散して肌３１に与えられる。
【００３９】
この状態において、ユーザが基盤筐体２を矢印ａで示す左方向に移動させて行くと、刺激付与ローラ部材１１は、図５（Ｂ）に示すように、反時計方向に転動して行く。
【００４０】
このとき刺激付与ローラ部材１１の両側において、左及び右押付力安定化ローラ部材１２Ｌ及び１２Ｒが肌３１を下方に押し付けていることにより、接触面２２Ａが転動に応じて傾いて行くことにより、肌３１に対する接触部分が次第に左側の境界部分２４側に移って行く。
【００４１】
このとき刺激付与ローラ部材１１による肌３１への刺激は、接触面２２Ａの全面に押圧力が分散している状態から、左側境界部分２４側の接触部分に集まって来ることにより、肌３１に対する刺激が大きくなって行く。
【００４２】
やがて、図５（Ｃ）に示すように、接触面２２Ａに対して窪み２３Ａを間に挟んで隣接する接触面２２Ｂが肌３１に接触する状態になると、当該接触面２２Ａの境界部分２４と、隣りの接触面２２Ｂの境界部分２５とだけが、肌３１に接触する状態になるので、刺激付与ローラ部材１１に与えられる押付力はこの２つの境界部分２４及び２５に２分されて肌３１に伝えられる。
【００４３】
この結果刺激付与ローラ部材１１によって肌３１に付与される刺激は十分に大きくなる。
【００４４】
続いて図５（Ｄ）に示すように、接触面２２Ａの左側境界部分２４が肌３１から離れた状態になるまで基盤筐体２へ移動操作されると、２分されていた押付力が接触面２２Ｂの境界部分２５だけに集中することにより、肌に付与される刺激は最大になる。
【００４５】
さらに基盤筐体２の移動操作が進むと、当該隣りの接触面２２Ｂの右側境界部分２５の肌３１への接触部分が、当該境界部分２５だけの状態から刺激付与ローラ部材１１の転動に応じて拡大して行く。
【００４６】
このとき刺激付与ローラ部材１１が肌３１に付与する刺激は、接触面２２Ｂの境界部分２５だけが肌３１に接触しているときここに全ての付与力が集中することにより最大になった後、接触面２２Ｂの肌３１への接触面積が大きくなるに従って各接触部分に分散して行く。
【００４７】
かくして刺激付与ローラ部材１１が９０〔°〕だけ転動すると、当該隣りの接りの接触面２２Ｂについて、図５（Ａ）において上述したと同様の動作状態になり、以後図５（Ａ）〜（Ｄ）について上述したトリートメント動作を繰り返す。
【００４８】
かかるトリートメント動作は、ユーザが基盤筐体２を矢印ａとは逆方向に、右方向に、移動操作したときも、同じようにして繰り返される。
【００４９】
このトリートメント動作時に、刺激付与ローラ部材１１の両側に設けられている左及び右付与力安定化ローラ部材１２Ｌ及び１２Ｒは、その最下面が刺激付与ローラ部材１１の最下面より少し高いレベル位置において肌３１に接触しており、これにより基盤筐体２に対して過大な押付力が与えられたとき、これを刺激付与ローラ部材１１に集中させずに分散させる。
【００５０】
かくして基盤筐体２に対する押付力が過大になった場合にも、刺激付与ローラ部材１１による肌３１への刺激を過大にさせずに安定化させる。
【００５１】
以上の構成によれば、刺激付与ローラ部材１１の円周表面上に角等間隔をもつように４つの接触面２２Ａ〜２２Ｄを形成するようにしたことにより、刺激付与ローラ部材１１の転動動作に従って各接触面２２Ａ〜２２Ｄが順次接触した後離れるような動作をする間において、肌３１に対して微妙に変化する刺激を付与することができる。
【００５２】
特に、各接触面２２Ａ〜２２Ｄが隣りの接触面に移る際には、境界部分２４及び２５が肌に当接している状態からその一方だけが当接する状態に移るときは、一時的に２分されていた押付力が一方だけに集中することにより、あたかもユーザが直接手の指で好みに応じた強さで肌を叩くようなタッピングトリーメメント処理を施したと同様の美容効果を実現できる。
【００５３】
かくするにつき、刺激付与ローラ部材１１の両側に当該刺激付与ローラ部材１１の半径より僅かに小さい半径をもち、かつ滑らかな円筒表面をもつ左及び右押付力安定化ローラ部材１２Ｌ及び１２Ｒを設けたことにより、たとえユーザが過大な押付力を基盤筐体２に与えたとしてもこれを刺激付与ローラ部材１１に直接に伝達させないように支持すると共に、刺激付与ローラ部材１１により刺激を付与する前及び後において、肌３１を滑らかに整えるような美容効果を得ることができる。
【００５４】
これと共に、これらの左及び右押付力安定化ローラ部材は、その半径を刺激付与ローラ部材１１より僅かに小さくすることにより、ユーザが基盤筐体２を左右方向に移動した際に、刺激付与ローラ部材１１を安定に操作方向に案内するように肌３１上を転動し、これにより安定なトリートメント操作を実現できる。
【００５５】
（２）実施例
この実施例においては、図４の実施の形態の構成について、各部の数値を以下に述べるように特定する。
【００５６】
刺激付与ローラ部材１１の円筒状仮想表面２１の直径Ｒ０を３５〔ｍｍ〕に特定し、左及び右押付力安定化ローラ部材１２Ｌ及び１２Ｒの直径を３０〔ｍｍ〕にし、左及び右押付力安定化ローラ部材１２Ｌ及び１２Ｒの最下レベルＬ１３から円筒状仮想表面２１の最下レベルＬ１２までの突出距離Ｄ１２を５．５〔ｍｍ〕にし、刺激付与ローラ部材１１の中心点Ｐ０と左及び右押付力安定化ローラ部材１２Ｌ及び１２Ｒの中心点Ｐ１及びＰ２までのレベル差Ｄ１１を３〔ｍｍ〕にし、刺激付与ローラ部材１１の接触面２２Ａ〜２２Ｄの幅Ｄ２１を１１〔ｍｍ〕にし、左押付力安定化ローラ部材１２Ｌの中心点Ｐ１から右押付力安定化ローラ部材１２Ｒの中心点Ｐ２までの距離Ｄ２２を７１〔ｍｍ〕にし、刺激付与ローラ部材１１の円筒状仮想表面２１の外表面と、これと対向する左及び右押付力安定化ローラ部材１２Ｌ及び１２Ｒとの間の間隔を３〔ｍｍ〕にする。
【００５７】
各部の部材がこのような数値に特定された美容ローラ１は、日本の通常の女性の手の大きさに最適な大きさを有することから、当該ユーザがトリートメント操作をやり易くなるので、一段と高い美容効果が得られる。
【産業上の利用可能性】
【００５８】
本考案は体のトリートメント用の美容ローラに利用できる。
【図面の簡単な説明】
【００５９】
【図１】本考案によるボディ用美容ローラの一実施の形態を示す斜視図である。
【図２】図１の正面の構造を示す正面図である。
【図３】図１の底面の構造を示す底面図である。
【図４】図１の刺激付与ローラ部材１１と左及び右押付力安定化ローラ部材１２Ｌ及び１２Ｒとの配置構造を示す略線図である。
【図５】（Ａ）〜（Ｄ）は図１のボディ用美容ローラ１のトリートメント動作の説明に供する略線図である。
【符号の説明】
【００６０】
１……ボディ用美容ローラ、２……基盤筐体、２Ａ……上面部材、２Ｂ……前面部材、２Ｃ……後面部材、３……把持部、３Ａ……一端部、３Ｂ……遊端部、３Ｃ……把持操作部、１１……刺激付与ローラ部材、１２Ｌ、１２Ｒ……左、右押付力安定化ローラ部材、２１……円筒状仮想表面、２２Ａ〜２２Ｄ……接触面、２３Ａ〜２３Ｄ……窪み。
【図１】
0003148412.tif 000005
【図２】
0003148412.tif 000006
【図３】
0003148412.tif 000007
【図４】
0003148412.tif 000008
【図５】
0003148412.tif 000009